(57)【特許請求の範囲】
【請求項１】
パケットデータネットワークリリース障害の処理方法であって、
ユーザ端末が、自身が現在２つ以上のパケットデータネットワークに接続していることを検出した場合に、パケットデータネットワークリリース要求メッセージを進化型パケットコアに送信し、
前記ユーザ端末が、前記進化型パケットコアから返されたパケットデータネットワークリリース拒否メッセージを受信し、且つ前記拒否メッセージに含まれる拒否原因が、最後のパケットデータネットワーク接続のリリースが許可されないことである場合に、切断要求を前記進化型パケットコアに送信し、
前記ユーザ端末が、前記進化型パケットコアから返された切断受付メッセージを受信した後、アタッチ要求メッセージを前記進化型パケットコアに送信し、前記進化型パケットコアとのパケットデータネットワーク接続を確立する
パケットデータネットワークリリース障害の処理方法。
【請求項２】
請求項１に記載のパケットデータネットワークリリース障害の処理方法であって、
前記進化型パケットコアは、前記ユーザ端末から前記パケットデータネットワークリリース要求メッセージを受信した後、前記パケットデータネットワークリリース要求メッセージにおいてリリースするように要求されたパケットデータネットワーク接続のリンクされた進化型パケットシステムベアラ識別子情報と、前記進化型パケットコアに格納されている前記進化型パケットコアと前記ユーザ端末のパケットデータネットワーク情報とに基づいて、前記パケットデータネットワークリリース要求メッセージにおいてリリースするように要求されたパケットデータネットワーク接続が前記進化型パケットコアと前記ユーザ端末の間で確立されている唯一のパケットデータネットワーク接続であることを検出した場合に、前記ユーザ端末にパケットデータネットワークリリース拒否メッセージを送信する
パケットデータネットワークリリース障害の処理方法。
【請求項３】
請求項１に記載のパケットデータネットワークリリース障害の処理方法であって、
前記進化型パケットコアは、前記切断受付メッセージを送信した後、Ｓ１インターフェースリリースメッセージを前記進化型基地局に送信し、前記進化型基地局と自身の間のＳ１インターフェースをリリースするように前記進化型基地局に通知し、
前記進化型基地局は、前記Ｓ１インターフェースリリースメッセージを受信した後、前記ユーザ端末に無線インターフェースリリースメッセージを送信し、前記ユーザ端末と自身の無線インターフェースをリリースするように前記ユーザ端末に通知する
パケットデータネットワークリリース障害の処理方法。
【請求項４】
請求項１に記載のパケットデータネットワークリリース障害の処理方法であって、
前記ユーザ端末が前記進化型パケットコアとのパケットデータネットワーク接続を確立するステップは、
前記ユーザ端末が、パケットデータネットワーク接続確立要求を含むアップリンクメッセージを、進化型基地局を介して前記進化型パケットコアに送信し、
前記進化型パケットコアが、前記アップリンクメッセージを受信した後、デフォルト進化型パケットシステムベアラを確立するコンテキスト要求情報を含むベアラ確立要求を前記進化型基地局に送信し、
前記進化型基地局が、前記ベアラ確立要求を受信し、無線ベアラ制御接続再構成メッセージを前記ユーザ端末に送信し、
前記ユーザ端末が接続再構成を行い、デフォルト進化型パケットシステムベアラ確立受信を含むコンテキスト情報を前記進化型基地局を介して前記進化型パケットコアに送信し、前記進化型パケットコアとのパケットデータネットワーク接続を確立する
パケットデータネットワークリリース障害の処理方法。
【請求項５】
パケットデータネットワークリリース障害の処理システムであって、
自身が現在、２つ以上のパケットデータネットワークに接続していることを検出した場合に、パケットデータネットワークリリース要求メッセージを進化型パケットコアに送信し、前記進化型パケットコアから返されたパケットデータネットワークリリース拒否メッセージを受信し、且つ前記拒否メッセージに含まれる拒否原因が、最後のパケットデータネットワーク接続のリリースが許可されないことである場合に、切断要求を前記進化型パケットコアに送信し、前記進化型パケットコアから返された切断受付メッセージを受信した後、アタッチ要求メッセージを前記進化型パケットコアに送信し、前記進化型パケットコアとのパケットデータネットワーク接続を確立するユーザ端末と、
前記ユーザ端末からのパケットデータネットワークリリース要求メッセージを受信し、パケットデータネットワークリリース拒否メッセージを前記ユーザ端末に返し、且つ前記拒否メッセージに含まれる拒否原因が、最後のパケットデータネットワーク接続のリリースが許可されないことである場合、前記ユーザ端末からの切断要求を受信し、切断受付メッセージを前記ユーザ端末に返し、前記ユーザ端末からのアタッチ要求メッセージを受信し、前記ユーザ端末とのパケットデータネットワーク接続を確立する進化型コアネットワークと
を含むパケットデータネットワークリリース障害の処理システム。
【請求項６】
請求項５に記載のパケットデータネットワークリリース障害の処理システムであって、
前記進化型パケットコアは、前記ユーザ端末から前記パケットデータネットワークリリース要求メッセージを受信した後、前記パケットデータネットワークリリース要求メッセージにおいてリリースするように要求されたパケットデータネットワーク接続のリンクされた進化型パケットシステムベアラ識別子情報と、前記進化型パケットコアに格納されている前記進化型パケットコアと前記ユーザ端末のパケットデータネットワーク情報とに基づいて、前記パケットデータネットワークリリース要求メッセージにおいてリリースするように要求されたパケットデータネットワーク接続が前記進化型パケットコアと前記ユーザ端末の間で確立されている唯一のパケットデータネットワークであることを検出した場合に、前記ユーザ端末にパケットデータネットワークリリース拒否メッセージを送信する
パケットデータネットワークリリース障害の処理システム
【請求項７】
請求項５に記載のパケットデータネットワークリリース障害の処理システムであって、
前記進化型パケットコアから送信されたＳ１インターフェースリリースメッセージを受信し、前記ユーザ端末に無線インターフェースリリースメッセージを送信し、前記ユーザ端末と自身の間の無線インターフェースをリリースするように前記ユーザ端末に通知する進化型基地局を更に含み、
前記進化型パケットコアは、前記進化型基地局にＳ１インターフェースリリースメッセージを送信し、前記進化型基地局と自身の間のＳ１インターフェースをリリースするように前記進化型基地局に通知する
パケットデータネットワークリリース障害の処理システム。
【請求項８】
請求項７に記載のパケットデータネットワークリリース障害の処理システムであって、
前記ユーザ端末は、パケットデータネットワーク接続確立要求を含むアップリンクメッセージを、前記進化型基地局を介して前記進化型パケットコアに送信して接続再確立を行い、デフォルト進化型パケットシステムベアラ確立受信を含むコンテキスト情報を前記進化型基地局を介して前記進化型パケットコアに送信し、前記進化型パケットコアと自身のパケットデータネットワーク接続を確立し、
前記進化型パケットコアは、前記アップリンクメッセージを受信し、デフォルト進化型パケットシステムベアラを確立するコンテキスト要求情報を含むベアラ確立要求を前記進化型基地局に送信し、
前記進化型基地局は、前記進化型パケットコアからのベアラ確立要求を受信し、無線ベアラ制御接続再構成メッセージを前記ユーザ端末に送信する
パケットデータネットワークリリース障害の処理システム。
【請求項９】
パケットデータネットワークリリース障害の処理装置であって、
自身が現在、２つ以上のパケットデータネットワークに接続していることを検出した場合に、パケットデータネットワークリリース要求メッセージを進化型パケットコアに送信し、切断要求を送信し、アタッチ要求メッセージを送信する送信判断モジュールと、
前記進化型パケットコアから返されたパケットデータネットワークリリース拒否メッセージを受信し、且つ前記拒否メッセージに含まれる拒否原因が、最後のパケットデータネットワーク接続のリリースが許可されないことである場合に、切断要求を送信するように前記送信判断モジュールに指示し、前記進化型パケットコアから受信した切断受付メッセージに応じて、アタッチ要求メッセージを前記進化型パケットコアに送信するように前記送信判断モジュールに指示し、前記送信判断モジュールから送信されたアタッチ要求メッセージに応じて、前記進化型パケットコアとのパケットデータネットワーク接続を確立する受信接続モジュールと
を含むパケットデータネットワークリリース障害の処理装置。
【請求項１０】
請求項９に記載のパケットデータネットワークリリース障害の処理装置であって、
前記受信接続モジュールは、前記進化型基地局からの無線インターフェースリリースメッセージを受信し、前記無線インターフェースリリースメッセージに応じて、前記進化型基地局との間の無線インターフェースをリリースする
パケットデータネットワークリリース障害の処理装置。
【請求項１１】
請求項９に記載のパケットデータネットワークリリース障害の処理装置であって、
前記送信判断モジュールは、パケットデータネットワーク接続確立要求を含むアップリンクメッセージを、進化型基地局を介して前記進化型パケットコアに送信し、
前記受信接続モジュールは、前記進化型基地局からの無線ベアラ制御接続再構成メッセージを受信し、接続再構成を行い、デフォルト進化型パケットシステムベアラ確立受信を含むコンテキスト情報を前記進化型基地局を介して前記進化型パケットコアに送信し、前記進化型パケットコアとのパケットデータネットワーク接続を確立する
パケットデータネットワークリリース障害の処理装置。
【発明の詳細な説明】
【技術分野】
【０００１】
本発明は通信技術分野に関し、特に、パケットデータネットワーク（ＰＤＮ：Ｐａｃｋｅｔ  Ｄａｔａ  Ｎｅｔｗｏｒｋ）リリース障害の処理方法、システム及び装置に関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のロング・ターム・エボリューション（ＬＴＥ：Ｌｏｎｇ  Ｔｅｒｍ  Ｅｖｏｌｕｔｉｏｎ）システムは、ユーザ端末（ＵＥ：Ｕｓｅｒ  Ｅｑｕｉｐｍｅｎｔ）、進化型基地局（ｅＮＢ：Ｅ−ＵＴＲＡＮ  ＮｏｄｅＢ）及び進化型パケットコア（ＥＰＣ：Ｅｖｏｌｖｅｄ  Ｐａｃｋｅｔ  Ｃｏｒｅ）を含む。
【０００３】
図１はＬＴＥシステムの構造模式図であり、ユーザ端末（ＵＥ）と進化型基地局（ｅＮＢ）の間には無線（Ｕｕ）インターフェースが用いられ、ｅＮＢとＥＰＣの間にはＳ１インターフェースが用いられている。
【０００４】
ＬＴＥシステムでは、ＵＥがＥＰＣにアタッチ（ａｔｔａｃｈ）要求を送信する場合に、ＥＰＣがＵＥとの間のデフォルトＰＤＮ接続を確立し、即ち１つのデフォルトベアラを確立し、そして当該ＵＥに１つのＩＰ（Ｉｎｔｅｒｎｅｔ  Ｐｒｏｔｏｃｏｌ）アドレスを割り当てる。
【０００５】
その後、サービスの要求によって、ＵＥがＥＰＣに２つ目のＰＤＮ接続の確立要求を送信し、ＥＰＣが受け付けた場合に、ＥＰＣがＵＥと１つのデフォルトベアラを再確立し、当該ＵＥに１つの新しいＩＰアドレスを割り当てる。ＵＥはリンクされた進化型パケットシステムベアラ識別子（ＬＢＩ：Ｌｉｎｋｅｄ  ＥＰＳ（Ｅｖｏｌｖｅｄ  Ｐａｃｋｅｔ  Ｓｙｓｔｅｍ）  Ｂｅａｒｅｒ  Ｉｄ）情報を介して異なったＰＤＮを区別する。
【０００６】
ＵＥは、あるＰＤＮと接続を維持する必要がない場合に、ＰＤＮリリース要求メッセージをＥＰＣに送信することによって、当該ＰＤＮ接続を削除する必要があることをＥＰＣに指示する。リリース要求にはデフォルトベアラのリリース及びすべての専用ベアラリソースのリリースが含まれる。
【０００７】
ＥＰＣが、リリースされるＰＤＮが当該ＵＥと確立した最後のＰＤＮではないと判断した場合に、デフォルトベアラ及びそのすべての専用ベアラを含む当該ＰＤＮ接続のすべてのリソースを削除する。図２はＵＥがあるＰＤＮのリリースを要求するプロセスであり、以下のステップを含む。
【０００８】
ステップ２０１：ＵＥがｅＮＢを介してアップリンクメッセージをＥＰＣに送信する。アップリンクメッセージにはＰＤＮ切断要求が含まれ、ＰＤＮ切断要求にはリリースを要求するＰＤＮのＬＢＩ情報が含まれる。
【０００９】
ステップ２０２：ＥＰＣが当該アップリンクメッセージを受信した後、進化型パケットシステム（ＥＰＳ）ベアラをリリースするコンテキスト要求情報を含むベアラリリース要求をｅＮＢに送信し、且つＴ３４９５タイマーを開始する。
【００１０】
ステップ２０３：ｅＮＢが当該ベアラリリース要求を受信した後、ＥＰＳベアラをリリースするコンテキスト要求情報を含む無線ベアラ制御（Ｒａｄｉｏ  Ｒｅｓｏｕｒｃｅ  Ｃｏｎｔｒｏｌ：ＲＲＣ）接続再構成メッセージをＵＥに送信する。
【００１１】
ステップ２０４：ＵＥは、ＲＲＣ接続再構成メッセージを受信すると接続再構成を行い、接続再構成を完了した後でＲＲＣ接続再構成完了メッセージをｅＮＢに送信する。
【００１２】
ステップ２０５：ｅＮＢがＲＲＣ接続再構成完了メッセージを受信した後、ベアラリリース応答メッセージをＥＰＣに送信する。
【００１３】
ステップ２０６：ＵＥがＥＰＳベアラ受信をリリースするコンテキスト情報を含むアップリンクメッセージをｅＮＢを介してＥＰＣに送信する。
【００１４】
ステップ２０７：ＥＰＣは、Ｔ３４９５タイマーの設定時間内に、ＥＰＳベアラ受信をリリースするコンテキスト情報を含むアップリンクメッセージを受信すると、デフォルトベアラ及びそのすべての専用ベアラを含む当該ＰＤＮ接続のすべてのリソースを削除する。
【００１５】
又は、図２に示すようなＰＤＮ接続のリリースフローに加えて、リソース不足を原因とするＰＤＮの接続リリース要求がＥＰＣにより自動的に開始されてもよい。例えばアイドルモード下で、ＥＰＣはＵＥに通知することなくローカルでＰＤＮをリリースしてもよい。
【００１６】
ＥＰＣがアイドルモードから接続モードに入る場合に、サービス要求（Ｓｅｒｖｉｃｅ  Ｒｅｑｕｅｓｔ）メッセージ又はトラッキングエリア更新（ＴＡＵ：Ｔｒａｃｋｉｎｇ  Ａｒｅａ  Ｕｐｄａｔｉｎｇ）プロセスを介してベアラリソースの同期を行う。
【００１７】
図３はＥＰＣが接続状態下でＰＤＮリリース要求を自動的に開始するプロセスである。当該プロセスは以下のステップを含む。
【００１８】
ステップ３０１：ＥＰＣがＥＰＳベアラをリリースするコンテキスト要求情報を含むベアラ削除要求をｅＮＢに送信し、そしてＴ３４９５タイマーを開始する。
【００１９】
ステップ３０２：ｅＮＢは、当該ベアラ削除要求を受信した後、ＥＰＳベアラをリリースするコンテキスト要求情報を含むＲＲＣ接続再構成メッセージをＵＥに送信する。
【００２０】
ステップ３０３：ＵＥが接続再構成を行い、接続再構成を完了した後、ＲＲＣ接続再構成完了メッセージをｅＮＢに送信する。
【００２１】
ステップ３０４：ｅＮＢがベアラリリース応答メッセージをＥＰＣに送信する。
【００２２】
ステップ３０５：ＵＥがｅＮＢを介して、ＥＰＳベアラ受信をリリースするコンテキスト情報を含むアップリンクメッセージをＥＰＣに送信する。
【００２３】
ステップ３０６：ＥＰＣは、Ｔ３４９５タイマーの設定時間内に、ＵＥから送信された、ＥＰＳベアラ受信をリリースするコンテキスト情報を受信すると、デフォルトベアラ及びそのすべての専用ベアラを含むＰＤＮ接続のすべてのリソースを削除し、Ｔ３４９５タイマーを停止する。
【００２４】
上記プロセスにおいてＥＰＣが開始したＰＤＮベアラのリリースプロセスは、ネットワーク状態等の問題のためＵＥに通知できない可能性がある。図４はＥＰＣがネットワーク状態のためＵＥに通知できない場合のプロセスであり、以下のステップを含む。
【００２５】
ステップ４０１：ＥＰＣがｅＮＢを介してＵＥにベアラ削除要求を送信する。ベアラ削除要求には、ＥＰＳベアラをリリースするコンテキスト要求情報が含まれている。そしてＥＰＣはＴ３４９５タイマーを開始する。
【００２６】
ステップ４０２：ＵＥが当該ベアラ削除要求を検出する。例えばセキュリティ問題等によって検出が失敗した場合には、ＵＥは当該ベアラ削除要求を破棄する。
【００２７】
ステップ４０３：ＥＰＣは、Ｔ３４９５タイマーの設定時間内にＵＥの応答メッセージを受信できなかった場合には、ｅＮＢを介してベアラ削除要求をＵＥに再送信し、Ｔ３４９５タイマーを開始する。
【００２８】
ステップ４０４：ＵＥが当該ベアラ削除要求を検出する。例えばセキュリティ問題等によって検出が失敗した場合には、ＵＥは当該ベアラ削除要求を破棄する。
【００２９】
ステップ４０５：ＥＰＣは、Ｔ３４９５タイマーの設定時間内にＵＥの応答メッセージを受信できなかった場合には、ｅＮＢを介してベアラ削除要求をＵＥに再送信し、Ｔ３４９５タイマーを再開始する。
【００３０】
ステップ４０６：ＥＰＣがＴ３４９５タイマーの設定時間内にＵＥの応答情報を受信できなかった回数が所定回数（例えば５回）を超えると、ＥＰＣはローカルで当該ＰＤＮ接続を削除する。
【００３１】
このような情況では、ＰＤＮベアラのリリース情報がＵＥに通知されない。しかし、ＥＰＣは既に当該ＰＤＮ接続を削除しているため、ＥＰＣに記憶されたＰＤＮ情報とＵＥに記憶されたＰＤＮ情報が一致しなくなる。
【００３２】
さらに、ＥＰＣがＵＥと確立した１つのＰＤＮの接続、例えば最初のＰＤＮ接続を記憶し、ＵＥがＥＰＣと確立した２つ以上のＰＤＮ接続を記憶している場合、ＵＥが最初のＰＤＮの接続を削除する必要が生じると次のようになる。即ち、ＵＥが最初のＰＤＮのリリース要求メッセージをｅＮＢを介してＥＰＣに送信する。ＥＰＣはこのリリース要求メッセージを受信すると、自身と当該ＵＥの間に最初のＰＤＮ接続のみが存在すると判断する。そしてＥＰＣはＰＤＮリリース拒否メッセージをＵＥに返す。当該拒否メッセージには、最後のＰＤＮ接続のリリースが許可されないという拒否原因が含まれている。即ち当該ＰＤＮ接続がＵＥとＥＰＣとの間の唯一の接続であり、それ故にリリースが許可されない。
【００３３】
従来の技術では、ＵＥが当該拒否メッセージを受信した後、ＰＤＮのリリースプロセスを放棄する。しかしながら、ＵＥが当該ＰＤＮを削除できないため、ＵＥが既にＥＰＣ側で削除されたＰＤＮを用いてデータを送信する場合に、データを相手側に送信できなくなり、それによってデータ伝送の信頼性に影響を与えてしまう。その上、ＵＥ及びｅＮＢは、対応するＰＤＮをリリースしていないため、当該ＰＤＮリソースを他のＵＥが使用することができず、対応するＰＤＮリソースの浪費を招いてしまう。
【発明の概要】
【発明が解決しようとする課題】
【００３４】
これに鑑みて、ＥＰＣとＵＥに記憶されたＰＤＮ情報の一致性を確保し、リソースを節約してデータ伝送の信頼性を向上させるために、本発明に係る実施形態は、パケットデータネットワークリリース障害の処理方法、システム及び装置を提供する。
【課題を解決するための手段】
【００３５】
本発明に係る実施形態におけるパケットデータネットワークリリース障害の処理方法は、
ユーザ端末が、自身が現在２つ以上のパケットデータネットワークに接続していることを検出した場合に、パケットデータネットワークリリース要求メッセージを進化型パケットコアに送信し、
前記ユーザ端末が、前記進化型パケットコアから返されたパケットデータネットワークリリース拒否メッセージを受信し、且つ前記拒否メッセージに含まれる拒否原因が、最後のパケットデータネットワーク接続のリリースが許可されないことである場合に、切断要求を前記進化型パケットコアに送信し、
前記ユーザ端末が、前記進化型パケットコアから返された切断受付メッセージを受信した後、アタッチ要求メッセージを前記進化型パケットコアに送信し、前記進化型パケットコアとのパケットデータネットワーク接続を確立する。
【００３６】
前記進化型パケットコアがパケットデータネットワークリリース拒否メッセージを返すステップは、
前記進化型パケットコアがパケットデータネットワークリリース要求メッセージを受信し、前記パケットデータネットワークリリース要求メッセージにおいてリリースするように要求されたパケットデータネットワーク接続のリンクされた進化型パケットシステムベアラ識別子情報と、前記進化型パケットコアに格納されている前記進化型パケットコアと前記ユーザ端末のパケットデータネットワーク接続情報とに基づいて、前記パケットデータネットワークリリース要求メッセージにおいてリリースするように要求されたパケットデータネットワーク接続が前記進化型パケットコアと前記ユーザ端末の間で確立されている唯一のパケットデータネットワーク接続であることを検出した場合に、前記ユーザ端末にパケットデータネットワークリリース拒否メッセージを送信する。
【００３７】
前記進化型パケットコアは、前記切断受付メッセージを返した後、Ｓ１インターフェースリリースメッセージを前記進化型基地局に送信し、前記進化型基地局と自身の間のＳ１インターフェースをリリースするように前記進化型基地局に通知し、
前記進化型基地局は、前記Ｓ１インターフェースリリースメッセージを受信した後、前記ユーザ端末に、無線インターフェースリリースメッセージを送信し、前記ユーザ端末と自身の無線インターフェースをリリースするように前記ユーザ端末に通知する。
【００３８】
前記ユーザ端末が前記進化型パケットコアとのパケットデータネットワーク接続を確立する前記ステップは、
前記ユーザ端末が、パケットデータネットワーク接続確立要求を含むアップリンクメッセージを、進化型基地局を介して前記進化型パケットコアに送信し、
前記進化型パケットコアが、前記アップリンクメッセージを受信した後、デフォルト進化型パケットシステムベアラを確立するコンテキスト要求情報を含むベアラ確立要求を前記進化型基地局に送信し、
前記進化型基地局が、前記ベアラ確立要求を受信し、無線ベアラ制御接続再構成メッセージを前記ユーザ端末に送信し、
前記ユーザ端末が接続再構成を行い、デフォルト進化型パケットシステムベアラ確立受信を含むコンテキスト情報を前記進化型基地局を介して前記進化型パケットコアに送信し、前記進化型パケットコアとのパケットデータネットワーク接続を確立する。
【００３９】
パケットデータネットワークリリース障害の処理システムであって、
自身が現在、２つ以上のパケットデータネットワークに接続していることを検出した場合に、パケットデータネットワークリリース要求メッセージを進化型パケットコアに送信し、前記進化型パケットコアから返されたパケットデータネットワークリリース拒否メッセージを受信し、且つ前記拒否メッセージに含まれる拒否原因が、最後のパケットデータネットワーク接続のリリースが許可されないことである場合に、切断要求を前記進化型パケットコアに送信し、前記進化型パケットコアから返された切断受付メッセージを受信した後、アタッチ要求メッセージを前記進化型パケットコアに送信し、前記進化型パケットコアとのパケットデータネットワーク接続を確立するユーザ端末と、
前記ユーザ端末からのパケットデータネットワークリリース要求メッセージを受信し、パケットデータネットワークリリース拒否メッセージを前記ユーザ端末に返し、且つ前記拒否メッセージに含まれる拒否原因が、最後のパケットデータネットワーク接続のリリースが許可されないことである場合、前記ユーザ端末からの切断要求を受信し、切断受付メッセージを前記ユーザ端末に返し、前記ユーザ端末からのアタッチ要求メッセージを受信し、前記ユーザ端末とのパケットデータネットワーク接続を確立する進化型コアネットワークとを含む。
【００４０】
前記進化型パケットコアは、前記ユーザ端末から前記パケットデータネットワークリリース要求メッセージを受信した後、前記パケットデータネットワークリリース要求メッセージにおいてリリースするように要求されたパケットデータネットワーク接続のリンクされた進化型パケットシステムベアラ識別子情報と、前記進化型パケットコアに格納されている前記進化型パケットコアと前記ユーザ端末のパケットデータネットワーク情報とに基づいて、前記パケットデータネットワークリリース要求メッセージにおいてリリースするように要求されたパケットデータネットワーク接続が前記進化型パケットコアと前記ユーザ端末の間で確立されている唯一のパケットデータネットワークであることを検出した場合に、前記ユーザ端末にパケットデータネットワークリリース拒否メッセージを送信する。
【００４１】
前記システムは、前記進化型パケットコアから送信されたＳ１インターフェースリリースメッセージを受信し、前記ユーザ端末に無線インターフェースリリースメッセージを送信し、前記ユーザ端末と自身の間の無線インターフェースをリリースするように前記ユーザ端末に通知する進化型基地局を更に含み、
前記進化型パケットコアは、前記進化型基地局にＳ１インターフェースリリースメッセージを送信し、前記進化型基地局と自身との間のＳ１インターフェースをリリースするように前記進化型基地局に通知する。
【００４２】
前記ユーザ端末は、パケットデータネットワーク接続確立要求を含むアップリンクメッセージを、前記進化型基地局を介して前記進化型パケットコアに送信して接続再確立を行い、デフォルト進化型パケットシステムベアラ確立引き受けを含むコンテキスト情報を前記進化型基地局を介して前記進化型パケットコアに送信し、前記進化型パケットコアと自己のパケットデータネットワーク接続を確立し、
前記進化型パケットコアは、前記アップリンクメッセージを受信し、デフォルト進化型パケットシステムベアラを確立するコンテキスト要求情報を含むベアラ確立要求を前記進化型基地局に送信し、
前記進化型基地局は、前記進化型パケットコアからのベアラ確立要求を受信し、無線ベアラ制御接続再構成メッセージを前記ユーザ端末に送信する。
【００４３】
パケットデータネットワークリリース障害の処理装置であって、
自身が現在、２つ以上のパケットデータネットワークに接続していることを検出した場合に、パケットデータネットワークリリース要求メッセージを進化型パケットコアに送信し、切断要求を送信し、アタッチ要求メッセージを送信する送信判断モジュールと、
前記進化型パケットコアから返されたパケットデータネットワークリリース拒否メッセージを受信し、且つ前記拒否メッセージに含まれる拒否原因が、最後のパケットデータネットワーク接続のリリースが許可されないことである場合に、切断要求を送信するように前記送信判断モジュールに指示し、前記進化型パケットコアから受信した切断受付メッセージに応じて、アタッチ要求メッセージを前記進化型パケットコアに送信するように前記送信判断モジュールに指示し、前記送信判断モジュールから送信されたアタッチ要求メッセージに応じて、前記進化型パケットコアとのパケットデータネットワーク接続を確立する受信接続モジュールとを含む。
【００４４】
前記受信接続モジュールは前記進化型基地局からの無線インターフェースリリースメッセージを受信し、前記無線インターフェースリリースメッセージに応じて、前記進化型基地局との間の無線インターフェースをリリースする。
前記送信判断モジュールは、パケットデータネットワーク接続確立要求を含むアップリンクメッセージを、前記進化型基地局を介して前記進化型パケットコアに送信し、
前記受信接続モジュールは、前記進化型基地局からの無線ベアラ制御接続再構成メッセージを受信し、接続再構成を行い、デフォルトＥＰＳベアラ確立受信を含むコンテキスト情報を前記進化型基地局を介して前記進化型パケットコアに送信し、前記進化型パケットコアとのパケットデータネットワーク接続を確立する。
【００４５】
本発明に係る実施形態は、パケットデータネットワークリリース障害の処理方法、システム及び装置を提供する。当該方法は、ユーザ端末が、自身が現在２つ以上のパケットデータネットワークに接続していることを検出した場合に、パケットデータネットワークリリース要求メッセージを進化型パケットコアに送信する。ユーザ端末は進化型パケットコアから返されたリリース拒否メッセージを受信し、拒否原因が、最後のパケットデータネットワーク接続のリリースが許可されないことである場合に、進化型パケットコアとの間の各パケットデータネットワーク接続をリリースする。そして、進化型パケットコアとの間のパケットデータネットワーク接続を再確立する。これによって、進化型パケットコアとのパケットデータネットワーク接続情報の一致性を維持すると共にリソースを節約し、さらにデータ伝送の信頼性を向上させることが可能となる。
【図面の簡単な説明】
【００４６】
【図１】従来の技術におけるＬＴＥシステムの構造模式図である。
【図２】従来の技術においてＵＥがあるＰＤＮをリリースするように要求するプロセスである。
【図３】従来の技術においてＥＰＣが接続状態でＰＤＮリリース要求を自動的に開始するプロセスである。
【図４】従来の技術においてＥＰＣがネットワーク状態のためＵＥに通知できないプロセスである。
【図５】本発明に係る実施形態におけるＰＤＮリリース障害の処理プロセスである。
【図６】本発明に係る実施形態におけるＵＥが第１のＰＤＮ接続をリリースするように要求するプロセスである。
【図７】本発明に係る実施形態におけるＵＥが切断要求をＥＰＣに送信し、各ＰＤＮ接続をリリースするプロセスである。
【図８】本発明に係る実施形態におけるＵＥとＥＰＣがＰＤＮ接続を確立するプロセスである。
【図９】本発明に係る実施形態におけるＰＤＮリリース障害の処理システムの構造模式図である。
【図１０】本発明に係る実施形態におけるＰＤＮリリース障害の処理装置の構造模式図である。
【発明を実施するための形態】
【００４７】
本発明に係る実施形態は、リリースが要求されたＰＤＮ（パケットデータネットワーク）がＵＥ（ユーザ端末）とＥＰＣ（進化型パケットコア）の唯一のＰＤＮであることを原因として、ＥＰＣがリリース要求メッセージを発信したＵＥにＰＤＮリリース拒否メッセージを送信したときに、ＥＰＣに記憶されたＰＤＮ接続情報とＵＥに記憶されたＰＣＮ接続情報の不一致を解消するものである。ＵＥとＥＰＣの各ＰＤＮ接続は切断され、ＵＥのＰＤＮ情報とＥＰＣのＰＤＮ情報が一致するように再構成される。これにより、効果的にリソースを利用し、データ伝送の信頼性を向上させることが可能となる。
【００４８】
以下、図面を参照しながら、本発明に係る実施形態を詳しく説明する。
図５は本発明に係る実施形態におけるＰＤＮリリース障害の処理プロセスであり、以下のステップを含む。
【００４９】
ステップ５０１：ＵＥが、自身が現在２つ以上のＰＤＮに接続していることを検出した場合に、リリースを要求するＰＤＮのＬＢＩ（リンクされた進化型パケットシステムベアラ識別子）情報を含むＰＤＮリリース要求メッセージをＥＰＣに送信する。
【００５０】
ＵＥは、自身が現在２つ以上のＰＤＮに接続していることを検出すると、その中のひとつのＰＤＮ接続をリリースするために、ＰＤＮリリース要求メッセージをＥＰＣに送信する。ＰＤＮリリース要求メッセージには、リリースを要求するＰＤＮのＬＢＩ情報が含まれているので、ＥＰＣはどのＰＤＮ接続がリリースされたかを確定できるようになる。
【００５１】
ステップ５０２：ＵＥがＥＰＣから返されたＰＤＮリリース拒否メッセージを受信し、拒否メッセージに含まれる拒否原因が、最後のＰＤＮ接続のリリースが許可されないことである場合には、ＵＥは切断要求をＥＰＣに送信する。
【００５２】
ＥＰＣは、ＵＥから送信された、リリースを要求するＰＤＮのＬＢＩ情報を含むリリース要求メッセージを受信する。その後、ＥＰＣは、自身と当該ＵＥのＰＤＮ接続情報及びＰＤＮリリース要求メッセージに含まれるリリースが要求されたＰＤＮのＬＢＩ情報に応じて、リリースが要求されたＰＤＮ接続が当該ＵＥとの唯一のＰＤＮ接続であることを検出した場合には、ＰＤＮリリース拒否メッセージをＵＥに返す。この拒否メッセージには、最後のＰＤＮ接続はリリースが許可されないという拒否原因が含まれている。
【００５３】
ＵＥは、２つ以上のＰＤＮ接続情報を有する場合に、リリースを要求するＰＤＮ接続がそのＥＰＣとの唯一の接続ではないことを確認する。これは、自身が記憶しているＰＤＮ接続情報とＥＰＣに記憶されているＰＤＮ接続情報が一致しないことを示す。
【００５４】
ＵＥとＥＰＣに記憶されているＰＤＮ接続情報を一致させるために、ＵＥは切断要求をＥＰＣに送信し、ＵＥとＥＰＣとの間のすべてのＰＤＮ接続を切断する。
【００５５】
ステップ５０３：ＵＥはＥＰＣから返された切断受付メッセージを受信した後、アタッチ要求メッセージをＥＰＣに送信し、ＥＰＣとのＰＤＮ接続を確立する。
【００５６】
ＵＥは２つ以上のＰＤＮ接続情報を有するが、ＵＥはその中のＰＤＮ接続を１つしか削除しない。これは、ＵＥがそのＰＤＮ接続を経由してデータ伝送を行うためには、そのＥＰＣとの間にＰＤＮ接続を維持する必要があることを示す。このため、ＵＥがそのＥＰＣとのＰＤＮ接続のリリースを要求すると、ＵＥはそのＥＰＣとのＰＤＮ接続を確立するために、さらにアタッチ要求メッセージをＥＰＣする必要がある。
【００５７】
本発明に係る実施形態においては、ＵＥが、現在２つ以上のＰＤＮに接続していることを検出する。このため、ＵＥは、ＥＰＣから返されたＰＤＮリリース拒否メッセージを受信し、当該拒否メッセージに含まれる拒否原因が、最後のＰＤＮ接続のリリースが許可されないことであることを検出した場合に、自身とＥＰＣに記憶されているＰＤＮ接続情報が一致しないことを確定することができる。そしてＵＥは自身に接続しているすべてのＰＤＮ接続を切断することによって、ＰＤＮリソースをリリースする。
【００５８】
ＵＥはひとつのＰＤＮをリリースする前に、２つ以上のＰＤＮに接続しているため、データ伝送のためにＰＤＮがさらに必要であり、アタッチ要求メッセージを送信することによって、ＥＰＣとのＰＤＮ接続を再確立し、後続のデータ伝送を行う。
【００５９】
ＵＥとＥＰＣとの間に２つ以上のＰＤＮ接続が確立された場合には、ＵＥはＬＢＩを利用して各ＰＤＮ接続を区別する。ＵＥがＰＤＮリリース要求メッセージをＥＰＣに送信すると、当該リリース要求メッセージにリリースを要求するＰＤＮのＬＢＩ情報が含まれているため、ＥＰＣはどのＰＤＮ接続がＵＥによってリリースされるかを取得することができる。
【００６０】
ネットワークの状況又はＵＥとＥＰＣの状態によっては、ＥＰＣはひとつのＰＤＮ接続をリリースする際に通知メッセージをＵＥに送信しない場合がある。その場合、ＵＥのＰＤＮ接続情報と、ＥＰＣのＰＤＮ接続情報とが一致しない。
【００６１】
さらに、例えば、ＥＰＣとＵＥのＰＤＮ接続が最初のＰＤＮ接続である場合等、ＥＰＣとＵＥの間にひとつのＰＤＮ接続のみが存在する場合、ＵＥは自身が第１のＰＤＮと第２ＰＤＮに接続していることを検出する。
【００６２】
図６は本発明に係る実施形態においてＵＥが第１のＰＤＮ接続をリリースするように要求するプロセスである。当該プロセスは以下のステップを含む。
【００６３】
ステップ６０１：ＵＥは、自身が第１のＰＤＮと第２ＰＤＮに接続していることを検出すると、ＰＤＮリリース要求メッセージをｅＮＢ（進化型基地局）を介してＥＰＣに送信する。ＰＤＮリリース要求メッセージには、リリースを要求するＰＤＮのＬＢＩ情報、即ち第１のＰＤＮのＬＢＩ情報が含まれる。
【００６４】
ステップ６０２：ＥＰＣは、当該ＰＤＮリリース要求メッセージを受信し、第１のＰＤＮのＬＢＩ情報と自身が記憶している当該ＵＥとのＰＤＮ接続情報に応じて、当該第１のＰＤＮが当該ＵＥと確立した唯一のＰＤＮ接続であることを検出した場合には、ＰＤＮリリース拒否メッセージをｅＮＢを介してＵＥに送信する。当該拒否メッセージには、最後のＰＤＮ接続のリリースは許可されないという拒否原因が含まれている。
【００６５】
即ちＥＰＣは、自身が記憶しているＰＤＮ接続情報とＰＤＮリリース要求メッセージにおいてリリースが要求されているＰＤＮのＬＢＩ情報に応じて、現在当該ＵＥとの間に１つのＰＤＮ接続のみが存在することを検出する。このため、当該ＰＤＮ接続のリリースは許可されない。
【００６６】
ステップ６０３：ＵＥがｅＮＢを介してＥＰＣから送信されたＰＤＮリリース拒否メッセージを受信する。
【００６７】
ステップ６０４：ＵＥが切断要求をＥＰＣに送信し、そのＥＰＣに接続されている各ＰＤＮを切断するように要求する。
【００６８】
ステップ６０５：ＥＰＣが当該切断要求に応じて、当該ＵＥに接続されている各ＰＤＮ接続をリリースし、切断受付メッセージをＵＥに返す。
【００６９】
ステップ６０６：ＵＥが当該切断受付メッセージを受信し、アタッチ要求メッセージをＥＰＣに送信してＥＰＣとのＰＤＮ接続を確立する。ＵＥがＥＰＣから送信されたＰＤＮリリース拒否メッセージを受信し、且つリリース拒否メッセージに含まれる拒否原因が、最後のＰＤＮ接続のリリースが許可されないことである場合、ＵＥは現在２つ以上のＰＤＮに接続している（即ち当該リリースが要求されるＰＤＮ接続がＥＰＣとの間の唯一の接続ではない）ため、ＵＥは、切断要求をＥＰＣに送信し、そのＥＰＣとの各ＰＤＮ接続をリリースする。
【００７０】
図７は本発明に係る実施形態において、ＵＥが切断要求をＥＰＣに送信し、各ＰＤＮ接続をリリースするプロセスである。当該プロセスは以下のステップを含む。
【００７１】
ステップ７０１：ＵＥがｅＮＢを介して切断要求をＥＰＣに送信する。
【００７２】
ステップ７０２：ＥＰＣは、切断要求を受信し、ＵＥがデータ伝送を行う必要がないことを検出すると、ＵＥとの各ＰＤＮ接続をリリースする。
【００７３】
ステップ７０３：ＥＰＣは、ＵＥとの各ＰＤＮ接続をリリースした後、ｅＮＢを介して切断受付メッセージをＵＥに返す。
【００７４】
ステップ７０４：ＥＰＣは、自身とｅＮＢとのＳ１インターフェースをリリースさせるＳ１インターフェースリリースメッセージをｅＮＢに送信し、ＥＰＣとの間のＳ１インターフェースをリリースするようにｅＮＢに通知する。
【００７５】
ステップ７０５：ｅＮＢは、当該Ｓ１インターフェースリリースメッセージを受信した後、ＥＰＣに接続しているＳ１インターフェースをリリースし、自身とＵＥの間のＵｕインターフェースをリリースさせる無線インターフェースリリースメッセージをＵＥに送信する。
【００７６】
ステップ７０６：ＵＥは、当該無線インターフェースリリースメッセージを受信した後、当該ｅＮＢとの間のＵｕインターフェースをリリースする。
【００７７】
本発明に係る実施形態において、ネットワーク状況又はＵＥやＥＰＣの状態のため、ＵＥのＰＤＮ接続情報とＥＰＣのＰＤＮ接続情報が一致しない場合、さらに、ＵＥが現在２つ以上のＰＤＮに接続していることを検出し、ＥＰＣから返されたＰＤＮリリース拒否メッセージを受信し、且つリリース拒否メッセージに含まれる拒否原因が、最後のＰＤＮ接続のリリースが許可されないことである場合、次のようになる。即ち、ＵＥとＥＰＣがそれぞれ有するＰＤＮ接続情報の一致を維持し、且つリソースの浪費を低減し、それと共にデータ伝送の高信頼性を保証するために、ＵＥは切断要求をＥＰＣに送信し、ＥＰＣとの間に確立した各ＰＤＮ接続をリリースすることによって、自身のＰＤＮ接続情報とＥＰＣのＰＤＮ接続情報の一致性を維持する。
【００７８】
同時に、ＵＥが、自身が現在、２つ以上のＰＤＮに接続していることを検出すると、その中の１つのＰＤＮ接続のみをリリースする必要がある。ＵＥは後続のデータの伝送を行うためにＥＰＣとの間に１つ以上のＰＤＮ接続を維持する必要がある。
【００７９】
本発明に係る実施形態では、ＵＥとＥＰＣがそれぞれ有するＰＤＮ接続情報の一致性を更に確保し、且つＵＥが後続のデータの伝送を行うことを確保するために、ＵＥがアタッチ要求メッセージをＥＰＣに送信し、ＥＰＣとの間のＰＤＮ接続を再確立する。
【００８０】
図８は本発明に係る実施形態におけるＵＥとＥＰＣがＰＤＮ接続を確立するプロセスである。当該プロセスは以下のステップを含む。
【００８１】
ステップ８０１：ＵＥがＰＤＮ接続確立要求を含むアップリンクメッセージをｅＮＢを介してＥＰＣに送信する。
【００８２】
ステップ８０２：ＥＰＣは、当該アップリンクメッセージを受信した後、ＰＤＮ接続を確立することを許可した場合に、デフォルトＥＰＳベアラを確立するコンテキスト要求情報を含むベアラ確立要求をｅＮＢに送信する。
【００８３】
ステップ８０３：ｅＮＢは、当該ベアラ確立要求を受信した後、デフォルトＥＰＳベアラを確立するコンテキスト要求情報を含むＲＲＣ接続再構成メッセージをＵＥに送信する。
【００８４】
ステップ８０４：ＵＥは、ＲＲＣ接続再構成メッセージを受信した後、接続再構成を行い、再構成が完了した後、ＲＲＣ接続再構成完了メッセージをｅＮＢに送信する。
【００８５】
ステップ８０５：ＵＥはＥＰＳベアラ受信を確立するコンテキスト情報を含むアップリンクメッセージをｅＮＢを介してＥＰＣに送信する。
【００８６】
ステップ８０６：ＥＰＣは、当該アップリンクメッセージを受信した後、当該アップリンクメッセージにおけるＥＰＳベアラ受信を確立するコンテキスト情報に応じて、当該ＵＥとの間のＰＤＮ接続を確立する。
【００８７】
ＵＥがまずＥＰＣとの間のＰＤＮ接続を切断し、且つＥＰＣとの間のＰＤＮ接続を再確立することにより、ＥＰＣによって記憶されたＰＤＮ接続情報との一致性を維持する。これによって一部のＰＤＮリソースがリリースされないことによるリソース浪費を招くことがない。さらにＰＤＮの接続を確立することにより、ＰＤＮ接続情報の一致を維持し、データ伝送の信頼性を向上させる。
【００８８】
また、ＵＥがひとつのＰＤＮ接続をリリースする前に、３つ以上又は４つ以上のＰＤＮ接続がある可能性がある。しかし、ＥＰＣがＵＥと１つのＰＤＮ接続のみを記憶するので、ＵＥとＥＰＣが各ＰＤＮ接続を切断するときに、自身の要求によってＥＰＣとの間のＰＤＮ接続を再確立してもよく、即ち１つ又は複数のＰＤＮ接続を確立してもよい。各ＰＤＮ接続を確立するプロセスは上記実施形態に同一であるため、詳細な記載はここでは省略する。
【００８９】
図９は本発明に係る実施形態におけるＰＤＮリリース障害の処理システム構造模式図である。当該システムは、ＵＥ（ユーザ端末）９１と、ＥＰＣ（進化型パケットコア）９２を含む。
【００９０】
ＵＥ９１は、自身が２つ以上のＰＤＮに接続していることを検出すると、ＰＤＮリリース要求メッセージをＥＰＣ９２に送信する。また、ＵＥ９１は、ＥＰＣ９２から返されたＰＤＮリリース拒否メッセージを受信し、当該拒否メッセージに含まれる拒否原因が、最後のＰＤＮ接続のリリースが許可されないことである場合に、切断要求をＥＰＣ９２に送信する。また、ＵＥ９１は、ＥＰＣ９２から返された切断受付メッセージを受信すると、アタッチ要求メッセージをＥＰＣ９２に送信し、ＥＰＣ９２とのＰＤＮ接続を確立する。
【００９１】
ＥＰＣ９２は、ＵＥ９１から送信されたＰＤＮリリース要求メッセージを受信し、ＰＤＮリリース拒否メッセージをＵＥ９１に返す。また、ＥＰＣ９２は、ＵＥ９１から切断要求を受信し、切断受付メッセージをＵＥ９１に返す。また、ＥＰＣ９２は、ＵＥ９１からアタッチ要求メッセージを受信し、ＵＥ９１とのＰＤＮ接続を確立する。ここで、拒否メッセージに含まれる拒絶理由は、最後のＰＤＮ接続のリリースが許可されないことである。
【００９２】
本発明に係るシステムでは、ＥＰＣ９２は、さらに、ＰＤＮリリース要求メッセージを受信し、リリースが要求されるＰＤＮのＬＢＩ情報及び自身が有するＵＥ９１とのＰＤＮ接続情報に応じて、リリースが要求されるＰＤＮがＵＥ９１との唯一のＰＤＮ接続であることを検出すると、ＰＤＮリリース拒否メッセージをＵＥ９１に返す。
【００９３】
本発明に係るシステムは、ｅＮＢ（進化型基地局）９３をさらに含む。ｅＮＢ９３は、ＥＰＣ９２からのＳ１インターフェースリリースメッセージを受信し、無線インターフェースリリースメッセージをＵＥ９１に送信し、自身との間の無線インターフェースをリリースするようにＵＥ９１に通知する。
【００９４】
ＥＰＣ９２は、さらに、Ｓ１インターフェースリリースメッセージをｅＮＢ９３に送信し、ＥＰＣ９２との間のＳ１インターフェースをリリースするようにｅＮＢ９３に通知する。
【００９５】
本発明に係るシステムでは、ＵＥ９１はさらに、アップリンクメッセージをｅＮＢ９３を介してＥＰＣ９２に送信する。アップリンクメッセージにはＰＤＮ接続確立要求が含まれる。ＵＥ９１は接続再構成を行い、デフォルトＥＰＳベアラ確立受信を含むコンテキスト情報をｅＮＢ９３を介してＥＰＣ９２に送信し、ＥＰＣ９２との間のＰＤＮ接続を確立する。
【００９６】
ＥＰＣ９２はさらに、アップリンクメッセージを受信した後、デフォルトＥＰＳベアラを確立するコンテキスト要求情報を含むベアラ確立要求をｅＮＢ９３に送信する。
【００９７】
ｅＮＢ９３はさらに、ＥＰＣ９２から送信されたベアラ確立要求を受信し、そしてＲＲＣ接続再構成メッセージをＵＥ９１に送信する。
【００９８】
図１０は本発明に係る実施形態におけるＰＤＮリリース障害の処理装置の構造模式図である。当該装置は、送信判断モジュール１０１と、受信接続モジュール１０２とを含む。
【００９９】
送信判断モジュール１０１は、自身が２つ以上のＰＤＮに接続していることを検出すると、ＰＤＮリリース要求メッセージをＥＰＣに送信する。また、送信判断モジュール１０１は、切断要求を送信し、アタッチ要求メッセージを送信する。
【０１００】
受信接続モジュール１０２は、ＥＰＣから返されたＰＤＮリリース拒否メッセージを受信し、且つ拒否メッセージに含まれる拒否原因が、最後のＰＤＮ接続のリリースが許可されないことである場合に、切断要求を送信するように送信判断モジュール１０１に指示する。また、受信接続モジュール１０２は、ＥＰＣから返された切断受付メッセージに応じて、アタッチ要求メッセージをＥＰＣに送信するように送信判断モジュール１０１に指示する。また、受信接続モジュール１０２は、送信判断モジュール１０１から送信されたアタッチ要求メッセージに応じて、ＥＰＣとのＰＤＮ接続を確立する。
【０１０１】
受信接続モジュール１０２はさらに、ｅＮＢからの無線インターフェースリリースメッセージを受信し、当該無線インターフェースリリースメッセージに応じて、ｅＮＢとの間の無線インターフェースをリリースする。
【０１０２】
送信判断モジュール１０１はさらに、ＰＤＮ接続確立要求を含むアップリンクメッセージをｅＮＢを介してＥＰＣに送信する。また、受信接続モジュール１０２は、ｅＮＢからのＲＲＣ接続再構成メッセージを受信して接続再構成を行い、デフォルトＥＰＳベアラ確立受信を含むコンテキスト情報をｅＮＢを介してＥＰＣに送信し、ＥＰＣとの間のＰＤＮ接続を確立する。
【０１０３】
本発明に係る実施形態はＰＤＮリリース障害の処理方法、システム及び装置を提供する。当該方法は、ＵＥが、自身が現在２つ以上のＰＤＮに接続していることを検出した場合に、ＰＤＮリリース要求メッセージをＥＰＣに送信し、ＥＰＣから返されたリリース拒否メッセージを受信する。拒否原因が、最後のＰＤＮ接続のリリースが許可されないことである場合に、ＵＥはＥＰＣとの間の各ＰＤＮ接続をリリースし、ＥＰＣとの間のＰＤＮ接続を再確立する。これにより、ＥＰＣとのＰＤＮ接続情報の一致性を維持し、リソースを節約すると共に、データ伝送の信頼性を向上させる。
【０１０４】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
0005416310.tif 000002
【図２】
0005416310.tif 000003
【図３】
0005416310.tif 000004
【図４】
0005416310.tif 000005
【図５】
0005416310.tif 000006
【図６】
0005416310.tif 000007
【図７】
0005416310.tif 000008
【図８】
0005416310.tif 000009
【図９】
0005416310.tif 000010
【図１０】
0005416310.tif 000011